Podtech/llm-jp-corpus-v4-ja_patent huggingface dataset:
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
硬化性樹脂と、
前記樹脂中に分散したナノ粒子と、
を含む樹脂成分であって、前記ナノ粒子は、各々独立して表面結合した疎水性修飾（Ｃ１〜Ｃ５０）ヒドロカルビル基を含み、前記（Ｃ１〜Ｃ５０）ヒドロカルビル基のうちの少なくとも１つは、（Ｃ１〜Ｃ５０）アルキル基であり、前記表面結合した疎水性修飾（Ｃ１〜Ｃ５０）ヒドロカルビル基のうちの少なくとも１つは、（Ｃ６〜Ｃ５０）アリール基である、樹脂成分。
【請求項２】
前記表面結合した疎水性修飾（Ｃ１〜Ｃ５０）ヒドロカルビル基のうちの少なくとも１つが、フェニル基である、請求項１に記載の樹脂成分。
【請求項３】
前記表面結合した疎水性修飾（Ｃ１〜Ｃ５０）ヒドロカルビル基が、−ＳｉＲ１Ｒ２−リンカー［式中、Ｒ１及びＲ２は、独立して、前記ナノ粒子との結合、（Ｃ１〜Ｃ１５）アルキル基、（Ｃ１〜Ｃ１５）アルコキシ基、及び（Ｃ６〜Ｃ１８）アリール基から選択される］を介して前記ナノ粒子に結合している、請求項１〜２のいずれか一項に記載の樹脂成分。
【請求項４】
前記表面結合した疎水性修飾（Ｃ１〜Ｃ５０）ヒドロカルビル基が、１種類を超す前記（Ｃ１〜Ｃ５０）ヒドロカルビル基のブレンドを含む、請求項１〜３のいずれか一項に記載の樹脂成分。
【請求項５】
前記表面結合した疎水性修飾（Ｃ１〜Ｃ５０）ヒドロカルビル基が、前記（Ｃ６〜Ｃ５０）アリール基と（Ｃ１〜Ｃ１０）アルキル基とのブレンドを含む、請求項１〜４のいずれか一項に記載の樹脂成分。
【請求項６】
前記表面結合した疎水性修飾（Ｃ１〜Ｃ５０）ヒドロカルビル基が、フェニル基と（Ｃ１〜Ｃ１０）アルキル基とのブレンドを含む、請求項１〜５のいずれか一項に記載の樹脂成分。
【請求項７】
請求項１〜６のいずれか一項に記載の樹脂成分と、
硬化性成分と、
を含む樹脂系。
【請求項８】
樹脂系を形成するために、請求項１〜６のいずれか一項に記載の樹脂成分を硬化性成分と合わせること、を含む、樹脂系の形成方法。
【請求項９】
硬化生成物の形成方法であって、
硬化生成物を形成するために請求項７に記載の樹脂系を含む反応混合物を硬化させること、を含む、方法。
【請求項１０】
エポキシ樹脂と、
前記樹脂中に分散したナノ粒子であって、
前記エポキシ樹脂は、前記樹脂成分の約３５重量％〜約９０重量％であり、前記ナノ粒子は、約５ｎｍ〜約５００ｎｍの粒径を有し、前記ナノ粒子は、前記樹脂成分の約１５重量％〜約６５重量％であり、前記ナノ粒子は、各々独立して表面結合した疎水性修飾（Ｃ１〜Ｃ５０）ヒドロカルビル基を含み、前記（Ｃ１〜Ｃ５０）ヒドロカルビル基のうちの少なくともいくつかは、フェニル基及び（Ｃ１〜Ｃ１０）アルキル基から選択され、前記フェニル基の前記（Ｃ１〜Ｃ１０）アルキル基に対するモル比は、約９５：５〜約５０：５０である、ナノ粒子と、
を含む樹脂成分。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
空気処理装置であって、
前記装置を通る空気フローを生成するための換気ユニットと、
空気を浄化するための空気浄化モジュールと、
前記浄化された空気のためのフロー出口を持つ主ハウジングと、
前記浄化された空気のためのフロー入口と、第１のフロー出口を持つハウジング部分と、を有する加湿取り付けモジュールと、
前記フロー出口及び前記第１のフロー出口のうちの１つを覆うための出口グリルと、
を有し、
前記加湿取り付けモジュール及び前記出口グリルは、前記装置が、前記第１のフロー出口を覆う前記出口グリルを具備する、前記加湿取り付けモジュールが前記出口グリルの代わりに前記フロー出口を覆う拡張構成と、前記出口グリルが前記フロー出口を覆う非拡張構成との両方を選択するように構成可能であるように、前記フロー出口を交換可能に覆う、空気処理装置。
【請求項２】
前記加湿取り付けモジュールが、
流体リザーバによって供給される加湿流体のための流体分配ユニットと、
入口空気フローのための前記フロー入口と、
前記フロー入口と前記第１のフロー出口との間に画定される第１の流路と、
前記フロー入口と第２のフロー出口との間に画定される第２の流路と、
フロー分割ユニットと、
を有し、
前記第１の流路が、前記流体分配ユニットをバイパスし、
前記第２の流路が、前記流体分配ユニットを通過し、
前記フロー分割ユニットが、前記加湿モジュールを通る全体フローを第１の流路成分と第２の流路成分とに分割するように動作可能である、請求項１記載の空気処理装置。
【請求項３】
前記流体分配ユニットが、前記流体リザーバによって供給されるとともに前記通過する空気フローによって引き込まれる前記加湿流体を格納するように構成された吸収材料を有する、請求項２記載の空気処理装置。
【請求項４】
前記吸収材料が、加湿流体が含浸されるように構成された少なくとも１つのウィックパッドを形成するウィック材料を有し、オプションで、前記ウィック材料は、前記第２のフロー出口と関連付けられる、請求項３記載の空気処理装置。
【請求項５】
前記流体分配ユニットが、互いに離間された少なくとも２つの部分を有し、前記第１のフロー出口が、前記第１の流路が前記流体分配ユニットの前記少なくとも２つの部分の間の中間通路スペースを通って前記第１のフロー出口へ導かれるように、構成される、請求項２乃至４のいずれか１項に記載の空気処理装置。
【請求項６】
前記フロー分割ユニットが、前記第１流路成分と前記第２流路成分との間の比を調整するように動作可能である少なくとも１つの調整可能な分流器を有する、請求項２乃至５のいずれか１項に記載の空気処理装置。
【請求項７】
前記少なくとも１つの調整可能な分流器が、可動ルーバーとして構成され、前記少なくとも１つの調整可能な分流器が、旋回軸周りに旋回されるように構成され、これにより、実際の旋回状態に依存して前記入口空気フローを迂回させる、請求項６記載の空気処理装置。
【請求項８】
前記流体分配ユニット部分とそれぞれ関連付けられる１組の対向するルーバが供給され、前記対向するルーバが、第２の旋回状態において前記全体フローの前記第１の流路成分を抑制し、前記対向するルーバが、第１の旋回状態において前記全体フローの前記第２の流路成分を抑制する、請求項７記載の空気処理装置。
【請求項９】
前記流体リザーバが、前記第１の流路成分のためのバイパス開口を画定する水コンパートメントを有し、前記流体リザーバが、前記第２の流路成分を前記第２のフロー出口へとガイドするためのガイド面を有する、請求項２乃至８のいずれか１項に記載の空気処理装置。
【請求項１０】
前記空気加湿モジュールが、前記空気浄化モジュールの上部に配置され、上向きに流れる浄化空気が供給されるよう構成され、前記空気加湿モジュールの前記第１のフロー出口が、上部出口であり、前記空気加湿モジュールの前記第２のフロー出口が、側方出口である、請求項２乃至９のいずれか１項に記載の空気処理装置。
【請求項１１】
前記取り付けモジュールが、前記取り付けモジュールが取り付けられた場合に前記主ハウジング上のステータススイッチを操作するように構成されたインジケータ拡張部を更に有し、前記ステータススイッチは、前記出口グリルが取り外された場合に前記取り付けモジュールの動作を無効にする、請求項１乃至１０のいずれか１項に記載の空気処理装置。
【請求項１２】
前記取り付けモジュールが、スナップオン取り付け方式で前記空気処理装置に取り付けられるように構成される、請求項１乃至１１のいずれか１項に記載の空気処理装置。
【請求項１３】
前記換気ユニットが、前記主ハウジングの少なくとも１つの側方入口開口を通じて吸入空気を吸入し、圧縮空気を上方に吹き出すように構成された少なくとも１つの遠心ベンチレータを有する、請求項１乃至１２のいずれか１項に記載の空気処理装置。
【請求項１４】
空気処理装置を拡張する方法であって、
ハウジング、少なくとも１つの換気ユニット、少なくとも１つの空気浄化モジュール、空気処理装置のフロー出口を覆う出口グリル、及び、加湿取り付けモジュールを有する前記空気処理装置を供給するステップと、
前記空気処理装置の前記ハウジングから前記出口グリルを取り外すステップと、
前記出口グリルの代わりに、前記ハウジングに前記加湿取り付けモジュールを配置するステップと、
前記加湿取り付けモジュールの第１のフロー出口に前記出口グリルを配置するステップと、
を有し、オプションで、前記出口グリルの配置が、前記空気処理装置のステータススイッチを活性化させる、方法。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
ハウジングと、
流体により流されたペレットを供給するための入口及び、乾燥ペレット及び前記流体をそれぞれ排出するための第１出口及び第２出口と、
垂直方向に延びる中心軸を有し、自身を囲むスクリーンによる該スクリーンの外側への流体の分離及び自身のブレードによるペレットの垂直方向の加速及び分離を行うための、並びに、前記ハウジングの前記スクリーンの内側での垂直方向に加速されたペレットの連続乾燥を行うためのブレードロータと
を備えたペレット乾燥機において、
前記ハウジングの頂部にあるファンを備えた追加ブロワが設けられており、前記追加ブロワは、前記垂直ブレードロータの周辺部に位置すると共に、前記ハウジングの内側であって前記ハウジングの内側表面と前記スクリーンのフレームの外側表面の間にある配管に接続されており、前記追加ブロワの回転速度は、該ペレット乾燥機の中央制御装置によって、前記垂直ブレードロータの回転速度とは無関係に制御されることを特徴とするペレット乾燥機。
【請求項２】
前記配管は円形断面領域を有するチューブを備える、請求項１に記載のペレット乾燥機。
【請求項３】
前記配管は四辺形断面領域を有するチューブを備える、請求項１に記載のペレット乾燥機。
【請求項４】
前記配管は台形断面領域を有するチューブを備える、請求項１に記載のペレット乾燥機。
【請求項５】
前記四辺形断面領域は、互いに対向して配置された壁の第１対（ａ，ａ’）と、互いに対向して配置された壁の第２対（ｂ，ｂ）とを備え、
前記壁の第１対（ａ，ａ’）は２つの湾曲した壁であり、前記壁の第１対のうち、一方の壁（ａ）は前記ハウジングの内側表面に適合すると共に、他方の壁（ａ’）は前記スクリーンの前記フレームの外側表面に適合し、
前記壁の第２対（ｂ，ｂ）は真っ直ぐな表面を有する、請求項３に記載のペレット乾燥機。
【請求項６】
前記配管の前記壁の第２対（ｂ，ｂ）の前記真っ直ぐな表面は半径方向に配置されている、請求項５に記載のペレット乾燥機。
【請求項７】
前記配管の前記壁の第２対（ｂ，ｂ）の前記真っ直ぐな表面は互いに平行に配置されている、請求項５に記載のペレット乾燥機。
【請求項８】
前記配管は前記ハウジングの全内側垂直長（Ｌ）の三分の一と前記ハウジングの前記全内側垂直長（Ｌ）の四分の三との間の長さ（ｌ）を有する、請求項１に記載のペレット乾燥機。
【請求項９】
前記配管は前記ハウジングの内側垂直長（Ｌ）の半分の長さ（ｌ）を有する、請求項１に記載のペレット乾燥機（１）。
【請求項１０】
前記配管は、少なくとも２つの部分が部分的に移動可能に互いの中へ嵌め込まれたテレスコピック構造を備える、請求項１に記載のペレット乾燥機。
【請求項１１】
前記追加ブロワの追加乾燥空気流は前記ペレットの移動方向に逆らう方向に向けられる、請求項１に記載のペレット乾燥機。
【請求項１２】
前記配管は前記垂直ブレードロータの前記中心軸の垂直方向に対して、３０°と６０°との間の傾斜角αで傾斜した開放領域を有する出口開口を備える、請求項１に記載のペレット乾燥機。
【請求項１３】
前記配管は前記垂直ブレードロータの前記中心軸の垂直方向に対して、４５°の傾斜角αで傾斜した開放領域を有する出口開口を備える、請求項１に記載のペレット乾燥機。
【請求項１４】
前記追加ブロワは、前記配管内に加圧空気を送る空気圧縮機を備え、前記配管は前記垂直ブレードロータの垂直方向の前記中心軸に対して１５°から９０°の範囲内において９０°までの角度αで傾斜している出口ノズルを有する、請求項１に記載のペレット乾燥機。
【請求項１５】
前記追加ブロワ及び前記ハウジング内の前記配管に加えて、前記スクリーンの上端の上方において、前記ハウジングの乾燥ペレットのための前記第２出口に誘導プレートが設けられている、請求項１に記載のペレット乾燥機。
【請求項１６】
前記スクリーンから半径方向外方向に離れている前記ハウジングの内側の円筒形の側面に設けられた、前記ハウジングの内側頂部に向かう出口開口と、前記出口開口に接続された出口ダクトとを備え、
前記出口ダクトは、前記垂直ブレードロータの前記中心軸に対して鋭角（β）で前記出口開口に取り付けられており、
湾曲した形状の出口誘導プレートが、前記スクリーンの端部と前記出口ダクトとの間の移行領域において、前記ハウジングの内側で前記ハウジングの前記内側頂部の近くに設けられており、前記出口誘導プレートは、前記スクリーンの上方中央位置から前記出口開口を通って前記出口ダクト内へと延びている、請求項１に記載のペレット乾燥機。
【請求項１７】
前記傾斜角αは３５°と５０°との間にある、請求項１２に記載のペレット乾燥機。
【請求項１８】
前記出口ノズルは、前記垂直ブレードロータの前記中心軸に対して３０°から５０°の範囲で傾斜している、請求項１４に記載のペレット乾燥機。
【請求項１９】
前記出口ノズルは、前記垂直ブレードロータの前記中心軸に対して４５°で傾斜している、請求項１４に記載のペレット乾燥機。
【手続補正書】
【提出日】令和2年3月23日(2020.3.23)
【手続補正１】
【補正対象書類名】明細書
【補正対象項目名】００５１
【補正方法】変更
【補正の内容】
【００５１】
【図１】半密閉型コンプレッサにおけるセンサの便利な位置を示す。上流温度センサは、好ましくは、コンプレッサから可能な限り離れて、吸込ライン上に設置され、同時に、好ましくはコンプレッサと同じ周囲温度内に存在する。半密閉型コンプレッサが吸込ガス熱交換器を装備している場合、上流温度センサは、好ましくは、吸込ガス熱交換器の上流に設置される。
【図２】密閉型コンプレッサにおけるセンサの便利な位置を示す。上流温度センサは、コンプレッサから可能な限り離れて、吸込ライン上に設置され、同時に、好ましくはコンプレッサと同じ周囲温度内に存在する。
【図３】吸込ガス熱交換器を用いる開放型コンプレッサにおけるセンサの位置を示す。
【図４】吸込ライン上に設置されるべく予め配線されている、クランクケースおよびクランクケースヒータのないコンプレッサ（すなわち、開放型スクリューコンプレッサ）用の吸込ガス熱交換器を示す。
【図５】本発明のデバイスへ連結され、かつ熱源をシミュレートするための、２つのセンサおよび小型ヒータを備える小型バイパスを示す。この設定は、特に、吸込ガス熱交換器の使用が推奨されない開放型コンプレッサに使用されるものである。ガス流の一部のみが加熱される。入口の位置は、液滴を遠心分離によって効果的に回収するために、エルボの後にすることが推奨される。ヒータは、２０ワット以下の電気抵抗であり得る。その電力は、分流されたガスを最大１５℃だけ加熱するように算出され得る。
【図６】本発明の明細書で用いるパラメータの定義およびグラフ表示を示す。
【図７】本発明の制御アルゴリズムの一例を示す。これは、コントローラプログラムにおいて使用される幾つかの変数の定義、および正常運転温度差と比較したそのシーケンスを示している。
【図８】Ｂｉｔｚｅｒ社製半密閉型コンプレッサの性能表を示す。本表は、Ｂｉｔｚｅｒ社選択ソフトウェアにより生成されたものである。ＤＴは、電動機を通る冷媒ガスの温度上昇である。
【図９】８０％効率の電動機による温度差を示す。
【手続補正書】
【提出日】令和2年8月24日(2020.8.24)
【手続補正１】
【補正対象書類名】明細書
【補正対象項目名】００１５
【補正方法】変更
【補正の内容】
【００１５】
より特定的には、前記脱水孔は、供給管の長手方向軸に実質的に平行に延在する複数のスロット様の細長いレーザ切断部によって形成されてもよい。このようなスロットパターンによって、乱流を引き起こすことなく、流れ抵抗が大きくなることなく、効率的な水排出が可能になる。例えば、このようなスロットパターンは、供給管の下側半分に制限されてもよく、および／またはレーザ切断部は、下側半分の管に分布していてもよい。例えば、２５より多い、または５０より多い、または７５より多いスロットが、供給管の断面に設けられ、その下側半分の管に分布していてもよい。これらのレーザ切断部の幅は、乾燥機に供給されるペレット様物質に応じて変わってもよく、典型的には、例えば、０．０１〜０．１インチの範囲であってもよく、好ましくは０．０２〜０．１インチまたは０．０４〜０．０６インチの範囲であってもよい。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
内側頂部と、流体により流されたペレットを供給するための入口と、乾燥ペレットを排出するための第１出口及び流体を排出するための第２出口を含む２つの別々の出口と、を有するハウジングと、
自身を囲むスクリーンによる流体の遠心分離及び自身のブレードによるペレットの垂直方向の加速及び分離のための垂直ブレードロータと、
を備え、
乾燥ペレットのための前記第１出口は、
前記スクリーンの上端の上方に設けられており、
前記スクリーンから半径方向外方向に離れている前記ハウジングの内側の円筒形の側面において前記ハウジングの前記内側頂部に向かう出口開口と、前記出口開口に接続された出口ダクトとを備え、前記出口ダクトは、前記垂直ブレードロータの中心軸に対して鋭角（β）で前記出口開口に取り付けられており、
湾曲した形状の出口誘導プレートが、前記スクリーンの前記端部と前記出口ダクトとの間の移行領域において、前記ハウジングの内側で前記ハウジングの前記内側頂部の近くに設けられ、前記出口誘導プレートは、前記スクリーンの上方中央位置から前記出口開口を通って前記出口ダクト内へと延びていることを特徴とするペレット乾燥機。
【請求項２】
前記出口誘導プレートの長さ方向の断面は、中央部分に平坦な輪郭を有し、前記出口ダクトに向かって次第に増大する湾曲した形状を備える、請求項１に記載のペレット乾燥機。
【請求項３】
前記出口誘導プレートの幅方向の断面は、中央部分に平坦な輪郭を有し、前記出口開口に向かって滑らかに湾曲した形状を備える、請求項１に記載のペレット乾燥機。
【請求項４】
前記出口誘導プレートは、金属合金製である、請求項１に記載のペレット乾燥機。
【請求項５】
前記出口誘導プレートは、ステンレス鋼製である、請求項１に記載のペレット乾燥機。
【請求項６】
前記出口誘導プレートは、少なくとも下側の凹曲面に摩耗保護を備える、請求項１に記載のペレット乾燥機。
【請求項７】
前記出口誘導プレートは、迅速な切り離し機構によって固定されている、請求項１に記載のペレット乾燥機。
【請求項８】
流体により流されたペレットを供給するための入口と、乾燥ペレットを排出するための第１出口と、流体を排出するための第２出口と、を有するハウジングと、
自身を囲むスクリーンによる流体の遠心分離及び自身のブレードによるペレットの垂直方向の加速及び分離のための垂直ブレードロータと、
を備え、
乾燥ペレットのための前記第１出口は、
前記スクリーンの上端に設けられており、
前記スクリーンの上端に近接する出口開口を備え、
前記出口開口に接続され、前記垂直ブレードロータの中心軸に対して鋭角で延びる出口ダクトと、
前記スクリーンの前記上端から前記出口開口を通って上記出口ダクト内へと延びており、前記スクリーンの前記上端と前記出口ダクトとの間におけるペレットのスムーズな移行運動のための湾曲面を有する出口誘導プレートと
を備えたことを特徴とするペレット乾燥機。
【請求項９】
前記出口誘導プレートの長さ方向の断面は、中央部分に平坦な輪郭を有し、前記出口ダクトに向かって次第に増大する湾曲した形状を備える、請求項８に記載のペレット乾燥機。
【請求項１０】
前記出口誘導プレートの幅方向の断面は、中央部分に平坦な輪郭を有し、前記出口開口に向かって滑らかに湾曲した形状を備える、請求項８に記載のペレット乾燥機。
【請求項１１】
前記出口誘導プレートは、金属合金製である、請求項８に記載のペレット乾燥機。
【請求項１２】
前記出口誘導プレートは、ステンレス鋼製である、請求項８に記載のペレット乾燥機。
【請求項１３】
前記出口誘導プレートの前記湾曲面は内側凹曲面を備える、請求項８に記載のペレット乾燥機。
【請求項１４】
前記出口誘導プレートは、少なくとも前記内側凹曲面上に摩耗保護を備える、請求項８に記載のペレット乾燥機。
【請求項１５】
前記出口誘導プレートは、迅速な切り離し機構によって固定されている、請求項８に記載のペレット乾燥機。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
軟化点温度が１００℃〜１７０℃の範囲であり、水酸基価が５〜３０ｍｇ  ＫＯＨ／ｇの範囲であり、
テルペンフェノール樹脂が、フェノールと、α−ピネン、β−ピネン、Ｄ−リモネン、ジペンテン(ラセミリモネン)、δ−３カレン、β−フェランドレン、及びα−ピネン、β−ピネン、δ−３カレン、δ−２カレン、テルペンチンの熱分解物並びにそれらの組合せとを、９５：５〜６０：４０の範囲のテルペン対フェノールの重量比で重合させることにより得られるテルペンフェノール樹脂。
【請求項２】
前記樹脂が、７００Ｄａ〜７９０Ｄａの数平均分子量、９３０Ｄａ〜１０９０Ｄａの重量平均分子量、及び１．２５〜１．４５の多分散性指数を有する、請求項１に記載のテルペンフェノール樹脂。
【請求項３】
下記のブレンドを含む組成物:
ゴム成分、並びにゴム成分の１００重量部（ｐｈｒ）を基準として;
５０〜２００ｐｈｒの充填剤;
０〜２５ｐｈｒの可塑剤;及び
５ｐｈｒ〜７０ｐｈｒの請求項１または２に記載のテルペンフェノール樹脂であるテルペンフェノール樹脂。
【請求項４】
軟化点が、１３０℃〜１６０℃である、請求項１または２に記載の組成物。
【請求項５】
組成物がタイヤトレッド配合物として使用するためのものであり、タイヤトレッド配合物が、前記テルペンフェノール樹脂を含まない、その他の点では同様の組成物と比較して、９％増加した湿潤牽引指標及び１０％〜１５％改善された転がり抵抗指標を有する、請求項３又は４に記載の組成物。
【請求項６】
前記タイヤトレッド配合物が、硫黄ベースのカップリング剤、有機過酸化物ベースのカップリング剤、無機カップリング剤、ポリアミンカップリング剤、樹脂カップリング剤、硫黄化合物ベースのカップリング剤、オキシム−ニトロソアミンベースのカップリング剤、及び硫黄の群から選択されるカップリング剤をさらに含む、請求項３に記載の組成物。
【請求項７】
ゴム成分が、天然ゴム（ＮＲ）、スチレン−ブタジエンゴム（ＳＢＲ）、ブタジエンゴム（ＢＲ）、合成ポリイソプレンゴム、エポキシ化天然ゴム、ポリブタジエンゴム、ニトリル−水素化ブタジエンゴム（ＮＨＢＲ）、水素化スチレン−ブタジエンゴムＨＳＢＲ、エチレンプロピレンジエンモノマーゴム、エチレンプロピレンゴム、マレイン酸変性エチレンプロピレンゴム、ブチルゴム、イソブチレン−芳香族ビニル又はジエンモノマーコポリマー、臭素化ＮＲ、塩素化ＮＲ、臭素化イソブチレンｐ−メチルスチレンコポリマー、クロロプレンゴム、エピクロロヒドリンモノポリマーゴム、エピクロロヒドリン−エチレンオキシド又はアリルグリシジルエーテルコポリマーゴム、エピクロロヒドリン−エチレンオキシド−アリルグリシジルエーテルターポリマーゴム、クロロスルホン化ポリエチレン、塩素化ポリエチレン、マレイン酸変性塩素化ポリエチレン、メチルビニルシリコーンゴム、ジメチルシリコーンゴム、メチルフェニルビニルシリコーンゴム、ポリスルフィドゴム、ビニリデンフロリドゴム、テトラフルオロエチレン−プロピレンゴム、フッ化シリコーンゴム、フッ化ホスファゲンゴム、スチレンエラストマー、熱可塑性オレフィンエラストマー、ポリエステルエラストマー、ウレタンエラストマー、及びポリアミドエラストマーの群から選択される、請求項３又は４に記載の組成物。
【請求項８】
ゴム成分が、少なくとも硫黄化合物、シラノール基、シラン基、エポキシ基でカップリング、星形分枝、又は官能基化されている、請求項３又は４に記載の組成物。
【請求項９】
前記可塑剤が、脂肪酸エステル、炭化水素加工油、トール油ピッチ及び改質トール油ピッチ、並びにそれらの組合せから選択される、請求項３又は４に記載の組成物。
【請求項１０】
充填剤が、炭酸カルシウム、クレイ、マイカ、シリカ、シリケート、タルク、二酸化チタン、アルミナ、酸化亜鉛、デンプン、木粉、カーボンブラック、超高分子量ポリエチレン（ＵＨＭＷＰＥ）、粒状ポリマーゲル、可塑化デンプン複合材料、及びそれらの混合物から選択される、請求項３又は４に記載の組成物。
【請求項１１】
充填剤が、組成物に添加される前に表面処理される、請求項３又は４に記載の組成物。
【請求項１２】
組成物が押出成形、圧縮成形、ブロー成形、射出成形、又は積層されて成形ゴム部品となる、請求項３又は４に記載の組成物。
【請求項１３】
組成物が押出成形、圧縮成形、ブロー成形、射出成形、又は積層されて、繊維、フィルム、積層体、層、自動車部品、電気器具ハウジング、消費者製品、及び包装製品のいずれかになる、請求項３又は４に記載の組成物。
【請求項１４】
１３０℃〜１６０℃の範囲の軟化点温度、５〜３０ｍｇ  ＫＯＨ／ｇの範囲の水酸基価、７００Ｄａ〜７９０Ｄａの数平均分子量、９３０Ｄａ〜１０９０Ｄａの重量平均分子量、及び１．２５〜１．４５の多分散性指数を有し、
テルペンフェノール樹脂が、フェノールと、α−ピネン、β−ピネン、Ｄ−リモネン、ジペンテン(ラセミリモネン)、δ−３カレン、β−フェランドレン、及びα−ピネン、β−ピネン、δ−３カレン、δ−２カレン、テルペンチンの熱分解物並びにそれらの組合せとを、９５：５〜６０：４０の範囲のテルペン対フェノールの重量比で重合させることにより得られ、および
ルイス酸触媒が三フッ化ホウ素のエーテル錯体及び三フッ化ホウ素の有機酸錯体から選択されるテルペンフェノール樹脂。
【請求項１５】
テルペン対フェノールのモル比が、１：１〜４：１の範囲である、請求項１４に記載のテルペンフェノール樹脂。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
ｐＨ５．０〜６．６の範囲で、抗酸化剤と組み合わせてｒｈアネキシンＶ−１２８を含む、静脈内投与に適した凍結乾燥組成物。
【請求項２】
前記抗酸化剤は、メタ重亜硫酸ナトリウム、ニコチンアミド、ピリドキシン塩酸塩、α−トコフェロールアセテート、モノチオグリセロールの中から選択される、請求項１に記載の凍結乾燥組成物。
【請求項３】
乳酸塩緩衝液、琥珀酸塩緩衝液、グリコール緩衝液、ＴＲＩＳ、およびヒスチジン緩衝液の中から選択される緩衝液を含んでいる、請求項１または２に記載の凍結乾燥組成物。
【請求項４】
−抗酸化剤；
−ｐＨが５．０〜６．６の間である緩衝液；
−還元剤；
−トランスキレート化剤；
−乾燥保護剤およびケーキ形成剤；
並びに、随意的に、放射安定促進剤または可溶化剤
を含む、静脈内投与に適した、請求項１〜３の何れか１項に記載の凍結乾燥組成物。
【請求項５】
前記成分は、以下の量、
−０．００５ｍｇ／バイアルを超える量の前記抗酸化剤；
−１０ｍＭを超える濃度である、ｐＨが５．０〜６．６の間である緩衝液；
−０．００５ｍｇ／バイアルを超える量の還元剤；
−０．０２ｍｇ／バイアルを超える量のトランスキレート化剤；
−１０ｍｇ／バイアルを超える量の乾燥保護剤およびケーキ形成剤；
前記放射安定促進剤または前記可溶化剤はそれぞれ、存在していれば、０．００５ｍｇ／バイアルを超える量および１ｍｇ／バイアルを超える量、
で存在している、請求項４に記載の凍結乾燥組成物。
【請求項６】
以下のステップ、
−凍結したｒｈアネキシンＶ−１２８を解凍するステップ
−抗酸化剤／還元剤を添加するステップ
−タンジェンシャルフロー濾過により緩衝液を交換し、上記ｒｈアネキシンＶ−１２８が供給される緩衝液を、乳酸塩緩衝液、琥珀酸塩緩衝液、グリコール緩衝液、ＴＲＩＳ、およびヒスチジン緩衝液の中から選択される緩衝液に置換するステップ
−トランスキレート化剤、放射安定促進剤、可溶化剤、抗酸化剤、乾燥保護剤およびケーキ形成剤を含む、賦形剤バルク溶液の調製ステップ
−前記賦形剤バルク溶液に必要量のｒｈアネキシンＶ−１２８の溶液を添加するステップ
−上記バルク溶液をバイアルに分配し、凍結乾燥するステップ
を含む、請求項１〜５の何れか１項に記載の凍結乾燥組成物の調製プロセス。
【請求項７】
請求項１〜５の何れか１項に記載の凍結乾燥組成物を含む単一バイアルと市販の９９ｍＴｃＯ４−ジェネレータに由来する溶出液とを反応して得られた９９ｍＴｃ−ｒｈアネキシンＶ−１２８を含む、静脈内投与に適した製剤。
【請求項８】
以下のステップ、
−請求項１〜５の何れか１項に記載の凍結乾燥組成物を含むバイアルに対して、７４０ＭＢｑ以下の放射能を有する市販の９９ｍＴｃＯ４−ジェネレータからの最適量の溶出液を添加するステップ；
−回転下で前記バイアルを９０分間室温で維持するステップ；
−反応を終了させ、これにより、６時間安定な９９ｍＴｃ−ｒｈアネキシンＶ−１２８溶液を得るステップ；
を含む、９９ｍＴｃ−ｒｈアネキシンＶ−１２８を得るプロセス。
【請求項９】
薬学的組成物であって、
リウマチ疾患、心循環器疾患、腫瘍学、移植の拒絶反応、自己免疫疾患、神経系疾患、およびアテローム性動脈硬化症からなる群から選択される疾患において、医療治療効果のモニタリングに利用するために、ｒｈアネキシンＶ−１２８を含み、上記治療は、細胞のアポトーシスを含む治療である、請求項１〜５の何れか１項に記載の凍結乾燥組成物。
【請求項１０】
薬学的組成物であって、
リウマチ疾患、心循環器疾患、腫瘍学、移植の拒絶反応、自己免疫疾患、神経系疾患、およびアテローム性動脈硬化症からなる群から選択される疾患を診断するために、ｒｈアネキシンＶ−１２８を含む、請求項１〜５の何れか１項に記載の凍結乾燥組成物。
【請求項１１】
前記心循環器疾患は、大動脈瘤、化学療法心毒性、心内膜炎および心筋炎である、請求項９または１０に記載の凍結乾燥組成物。
【請求項１２】
前記リウマチ疾患は、リウマチ関節炎および体軸性脊椎関節炎である、請求項９または１０に記載の凍結乾燥組成物。
【請求項１３】
前記疾患はアテローム性動脈硬化症であり、前記診断によりアテローム斑を検出しステージ決定できる、請求項１０に記載の凍結乾燥組成物。
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
ペプチドおよび製薬上許容される賦形剤を含む、眼疾患を予防および／または治療するための医薬組成物であって、
前記ペプチドは配列番号１の配列：Ｓ−Ｘ−Ｘ−Ａ−Ｘ−Ｑ／Ｈ−Ｘ−Ｘ−Ｘ−Ｘ−Ｉ／Ｖ−Ｉ−Ｘ−Ｒを含み、
各Ｘは独立に任意のアミノ酸である、
医薬組成物。
【請求項２】
前記ペプチドが、ＳＬＧＡＥＱＲＴＥＳＩＩＨＲ（配列番号２）またはＳＬＧＡＥＨＲＴＥＳＶＩＨＲ（配列番号３）の配列を含まない、
請求項１に記載の医薬組成物。
【請求項３】
前記ペプチドが、配列番号６〜７５のいずれか１つの配列を含む、
請求項１に記載の医薬組成物。
【請求項４】
前記ペプチドが、２０、２２、２４、または２９アミノ酸残基長からなる、
請求項１に記載の医薬組成物。
【請求項５】
前記ペプチドが、Ｎ末端のアセチル化で修飾されているか、またはＣ末端のアミド化で修飾されている、
請求項１〜４のいずれか一項に記載の医薬組成物。
【請求項６】
前記眼疾患が角膜損傷関連疾患である、
請求項１〜４のいずれか一項に記載の医薬組成物。
【請求項７】
前記眼疾患がドライアイ症候群である、
請求項１〜４のいずれか一項に記載の医薬組成物。
【請求項８】
前記ペプチドの濃度が１０〜２００μΜである、
請求項５に記載の医薬組成物。
【請求項９】
前記組成物が、溶液、軟膏、またはゲルの形態である、
請求項５に記載の医薬組成物。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
2019533652.tif 000001
から選択される化合物、またはその薬学的に許容される誘導体。
【手続補正２】
【補正対象書類名】明細書
【補正対象項目名】０４４８
【補正方法】変更
【補正の内容】
【０４４８】
本発明の範囲または趣旨から逸脱することなく、本発明を様々に変更及び変化させることができることは、当業者には明らかであろう。本明細書の考察及び本明細書に開示の本発明の実施から、本発明の他の実施形態も、当業者には明らかであろう。明細書及び実施例は、単なる例示と考えられることが意図されており、本発明の真の範囲及び趣旨は次の特許請求の範囲によって示される。
本発明のまた別の態様は、以下のとおりであってもよい。
〔１〕
2019533652.tif 000002

から選択される化合物、またはその薬学的に許容される誘導体。
〔２〕
2019533652.tif 000003

及び
2019533652.tif 000004

から選択される、前記〔１〕に記載の化合物。
〔３〕
2019533652.tif 000005

及び
2019533652.tif 000006

から選択される、前記〔１〕に記載の化合物。
〔４〕有効量の前記〔１〕に記載の化合物及び薬学的に許容される担体を含む医薬組成物。
〔５〕有効量の少なくとも１種の化学療法薬をさらに含む、前記〔４〕に記載の組成物。
〔６〕対象において異常な胚様変異を有する障害を処置するための方法であって、治療有効量の、
2019533652.tif 000007

から選択される化合物、またはその薬学的に許容される誘導体を前記対象に投与するステップを含む、前記方法。
〔７〕前記障害が、網膜色素変性症、小頭性骨異形成性原発性小人症（ＭＯＰＤ）１型、及びがんから選択される、前記〔６〕に記載の方法。
〔８〕前記がんが、慢性リンパ球性白血病（ＣＬＬ）、骨髄異形成、骨髄異形成症候群（ＭＤＳ）、急性骨髄性白血病（ＡＭＬ）、乳癌、肺腺肉腫、及びブドウ膜黒色腫から選択される、前記〔６〕に記載の方法。
〔９〕前記対象がヒトである、前記〔６〕に記載の方法。
〔１０〕前記対象が、前記投与ステップの前に、異常な生殖細胞系列変異を有する障害の処置を必要とすると診断されている、前記〔６〕に記載の方法。
〔１１〕異常な生殖細胞系列変異を有する障害の処置を必要とする対象を特定するステップをさらに含む、前記〔６〕に記載の方法。
〔１２〕少なくとも１つの細胞においてＣＬＫ２及び／またはＣＤＫ１を阻害するための方法であって、少なくとも１つの細胞を、有効量の、
2019533652.tif 000008

から選択される化合物、またはその薬学的に許容される塩と接触させ、それによって、少なくとも１つの細胞においてＣＬＫ２及び／またはＣＤＫ１を阻害するステップを含む、前記方法。
〔１３〕ＣＬＫ２及びＣＤＫ１のそれぞれを阻害する、前記〔１２〕に記載の方法。
〔１４〕ＣＬＫ２及びＣＤＫ１のうちの１種を阻害する、前記〔１２〕に記載の方法。
〔１５〕前記細胞ががん細胞である、前記〔１２〕に記載の方法。
〔１６〕前記細胞がヒトである、前記〔１２〕に記載の方法。
〔１７〕前記細胞が、前記投与ステップの前に、ヒトから単離されている、前記〔１６〕に記載の方法。
〔１８〕接触が、対象への投与を介する、前記〔１２〕に記載の方法。
〔１９〕前記対象が、前記投与ステップの前に、ＣＬＫ２及び／またはＣＤＫ１の阻害を必要とすると診断されている、前記〔１８〕に記載の方法。
〔２０〕前記対象が、前記投与ステップの前に、ＣＬＫ２及び／またはＣＤＫ１の活性化と関連する障害の処置を必要とすると診断されている、前記〔１８〕に記載の方法。
【手続補正書】
【提出日】令和2年10月2日(2020.10.2)
【手続補正１】
【補正対象書類名】明細書
【補正対象項目名】００２５
【補正方法】変更
【補正の内容】
【００２５】
一実施形態において、本明細書の開示は、プロモーターに動作可能で連結された配列番号5、9、10、11の1つ以上、又は配列番号23、24、25若しくは26の1つ以上を含むポリヌクレオチドをコードする核酸分子を含む組換えベクターを提供する。エンハンサーアゴニストエピトープ及び/又は単一エピトープをコードする核酸分子をさらに含むプロモーターに動作可能で連結された配列番号5、9、10、11の1つ以上又は23、24、25若しくは26の1つ以上を含むペプチドをコードする核酸分子を含む組換えベクターもまた提供される。一実施形態において、上記ベクターは、組換えアデノウイルスを含み得る。当業者に知られているように、核酸配列は、通常の分子生物学的技術を用いてクローニングすることができ、又はDNA合成によってデノボで合成され得、これは、DNA合成及び/又は分子クローニングの分野における事業会社による通常の手順を用いることによって行われ得る。
【手続補正２】
【補正対象書類名】特許請求の範囲
【補正対象項目名】全文
【補正方法】変更
【補正の内容】
【特許請求の範囲】
【請求項１】
HPVペプチド配列を含む組成物であって、前記HPVペプチド配列が、HPV16 E6ペプチド、及び/又はHPV16 E7ペプチドに相当し、及び前記ペプチド配列が、5つのHLAスーパータイプと約5,000nMのIC50の結合親和性を有し、並びに前記ペプチドのいくつかは、マルチエピトープペプチドである、組成物。
【請求項２】
前記ペプチドが、配列番号5、9、10及び11を含む、又は配列番号23、24、25及び26からなるそれらの脂質付加バージョンを含む、請求項1に記載の組成物。
【請求項３】
前記ペプチドが、個々のペプチドとして前記組成物中に存在する、請求項2に記載の組成物。
【請求項４】
前記ペプチドが、スペーサーを用いて又はスペーサーを用いずに互いにコンジュゲートされ、特許請求の範囲に記載の配列を包含する単一の長いペプチドを形成する、請求項2に記載の組成物。
【請求項５】
アジュバントをさらに含む、請求項1に記載の組成物。
【請求項６】
前記アジュバントが、カチオン性脂質からなる、請求項5に記載の組成物。
【請求項７】
前記カチオン性脂質が、DOTAP、DDA、DOEPC、DOTMA、R-DOTAP、R-DDA、R-DOEPC、R-DOTMA、S-DOTAP、S-DDA、S-DOEPC、S-DOTMA、それらのバリエーション又は類似体からなる請求項6に記載の組成物。
【請求項８】
前記HLAスーパータイプが、HLA-A*02:01、HLA-A*03:01、HLA-A*24:02、HLA-B*07:02、及びHLA-B*58:01からなる請求項1に記載の組成物。
【請求項９】
エンハンサーアゴニストエピトープをさらに含む、請求項1に記載の組成物。
【請求項１０】
単一エピトープペプチドをさらに含む、請求項1に記載の組成物。
【請求項１１】
前記単一エピトープペプチドが、配列番号14、又は配列番号15並びに例えば配列番号27及び28等のそれらの類似体を含む、請求項10に記載の組成物。
【請求項１２】
前記ペプチドが、修飾ペプチド、ペプチド類似体、及びそれらの活性断片を含む、請求項1に記載の組成物。
【請求項１３】
前記ペプチドが、酸化、ジスルフィド結合により架橋、ペグ化、グリコシル化、リン酸化、パルミトイル化、メチル化、又はビオチン化される、請求項12に記載の組成物。
【請求項１４】
前記ペプチドが、配列番号5、9、10、11、23、24、25又は26からなり、前記カチオン性脂質が、R-DOTAPを含む、請求項1に記載の組成物。
【請求項１５】
前記ペプチドが、カチオン性脂質を含むリポソームに封入される、請求項7に記載の組成物。
【請求項１６】
HPVペプチド配列を含む組成物を、対象に投与することを含む、対象においてHPV感染に対する免疫応答を誘導する方法であって、前記HPVペプチド配列が、HPV16 E6ペプチド、及び/又はHPV E7ペプチドに相当し、及び前記ペプチド配列が、5つのHLAスーパータイプと約5,000nMのIC50の結合親和性を有し、並びに前記ペプチドのいくつかは、マルチエピトープペプチドである、方法。
【請求項１７】
前記ペプチドが、配列番号5、9、10、11、23、24、25又は26からなる、請求項16に記載の方法。
【請求項１８】
アジュバントをさらに含む、請求項16に記載の方法。
【請求項１９】
前記カチオン性脂質が、DOTAP、DDA、DOEPC、DOTMA、R-DOTAP、R-DDA、R-DOEPC、R-DOTMA、S-DOTAP、S-DDA、S-DOEPC、S-DOTMA、それらのバリエーション又は類似体からなる、請求項18に記載の方法。
【請求項２０】
前記ペプチドが、配列番号5、9、10、11、23、24、25又は26からなり、及び前記カチオン性脂質が、R-DOTAPを含む、請求項19に記載の方法。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
【化１】
2019533651.tif 000001
である化合物、あるいはその薬学的に許容可能な塩または溶媒和物。
【請求項２】
請求項１の化合物と少なくとも１つの薬学的に許容可能な賦形剤を含む医薬組成物。
【請求項３】
被験体の癌を処置するための方法であって、前記方法は、
【化２】
2019533651.tif 000002
である治療上有効な量の化合物、あるいはその薬学的に許容可能な塩または溶媒和物を被験体に投与する工程を含み、
ここで、癌はグルココルチコイド受容体（ＧＲ）を発現する、方法。
【請求項４】
癌は乳癌である、請求項３に記載の方法。
【請求項５】
癌は化学療法抵抗性である、請求項３に記載の方法。
【請求項６】
癌は卵巣癌である、請求項３に記載の方法。
【請求項７】
癌は前立腺癌である、請求項３に記載の方法。
【請求項８】
癌は去勢抵抗性前立腺癌である、請求項３に記載の方法。
【請求項９】
アンドロゲン受容体阻害剤、シスプラチン、カルボプラチン、パクリタキセル、ゲムシタビン、ドキソルビシン、カンプトテシン、トポテカン、抗−ＰＤ−Ｌ１剤あるいは抗−ＰＤ１剤、およびこれらの任意の組み合わせから選択された治療上有効な量の第２の治療薬を、被験体に投与する工程をさらに含む、請求項３に記載の方法。
【請求項１０】
治療上有効な量のｎａｂ−パクリタキセルを被験体に投与する工程をさらに含む、請求項３に記載の方法。
【請求項１１】
治療上有効な量のエンザルタミドを被験体に投与する工程をさらに含む、請求項３に記載の方法。
【手続補正書】
【提出日】令和2年9月28日(2020.9.28)
【手続補正１】
【補正対象書類名】特許請求の範囲
【補正対象項目名】全文
【補正方法】変更
【補正の内容】
【特許請求の範囲】
【請求項１】
Hiptage candicans、Piper sarmentosum、Solanum stramonifolium、Anaxagorea luzonensis、Smilax corbularia、Ardisia elliptica、Erythrina suberosa、Dactyloctenium aegyptium、Hopea ferrea、およびそれらの抽出物からなる群より選択される少なくとも１種を有効成分とするエンドセリン変換酵素阻害剤。
【請求項２】
Hiptage candicans、Piper sarmentosum、Solanum stramonifolium、Anaxagorea luzonensis、Smilax corbularia、Ardisia elliptica、Erythrina suberosa、Dactyloctenium aegyptium、Hopea ferrea、およびそれらの抽出物からなる群より選択される少なくとも１種を有効成分とするメラニン生成阻害剤。
【請求項３】
Hiptage candicans、Piper sarmentosum、Solanum stramonifolium、Anaxagorea luzonensis、Smilax corbularia、Ardisia elliptica、Erythrina suberosa、Dactyloctenium aegyptium、Hopea ferrea、およびそれらの抽出物からなる群より選択される少なくとも１種を有効成分とする皮膚美白剤。
【請求項４】
Hiptage candicans、Solanum stramonifolium、Anaxagorea luzonensis、Smilax corbularia、Ardisia elliptica、Erythrina suberosa、Dactyloctenium aegyptium、Hopea ferrea、およびそれらの抽出物からなる群より選択される少なくとも１種を有効成分とする抗高血圧剤。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
対象の心血管疾患（ＣＶＤ）の発症を予防するか又は遅延するのに使用するための組成物であって、精製された機能性光合成色素をそのチラコイド膜環境において含む有効量のチラコイド抽出物を、任意選択で生理的に許容可能な賦形剤と混合して含む組成物。
【請求項２】
１０％未満の電子供与体を含む媒体中で安定化されている、請求項１に記載の使用のための組成物。
【請求項３】
前記媒体は、１０％未満の水を含む、請求項２に記載の使用のための組成物。
【請求項４】
経口投与のために製剤化されている、請求項１〜３のいずれか一項に記載の使用のための組成物。
【請求項５】
非経口投与のために製剤化されている、請求項１〜３のいずれか一項に記載の使用のための組成物。
【請求項６】
心臓発作の直後の心臓内投与のために製剤化されている、請求項１〜３のいずれか一項に記載の使用のための組成物。
【請求項７】
心臓発作の最大２４時間後の心臓内投与のために製剤化されている、請求項１〜３のいずれか一項に記載の使用のための組成物。
【請求項８】
前記ＣＶＤは、狭心症、卒中、心筋／脳梗塞、アテローム性動脈硬化症、バイパス手術、虚血、高血圧性心疾患、リウマチ性心疾患、心筋症、心臓不整脈、先天性心疾患、弁膜性心疾患、心臓炎、大動脈瘤、末梢動脈疾患及び静脈血栓症から選択される、請求項１〜７のいずれか一項に記載の使用のための組成物。
【請求項９】
前記ＣＶＤは、狭心症、卒中、心筋梗塞、虚血、静脈血栓症及びアテローム性動脈硬化症である、請求項８に記載の使用のための組成物。
【請求項１０】
前記抽出物の有効量は、対象の体重１Ｋｇ当たり約０．００００５〜５００ｍｇであるか、又は対象の体重１Ｋｇ当たり約０．０５〜約１０ｍｇである、請求項１〜９のいずれか一項に記載の使用のための組成物。
【請求項１１】
哺乳類の血中ＣＲＰ又は血中ｈｓＣＲＰのベースラインレベルを１４日後に少なくとも約２５％だけ低減するのに使用するための組成物であって、精製された機能性光合成色素をそのチラコイド膜環境において含むチラコイド抽出物を含み、前記組成物の投与前の前記ＣＲＰ又はｈｓＣＲＰのベースラインレベルは、慢性炎症を示す、組成物。
【請求項１２】
前記抽出物は、生理的に許容可能な担体と混合されている、請求項１１に記載の使用のための組成物。
【請求項１３】
前記ベースラインレベルは、少なくとも約２ｍｇ／Ｌである、請求項１１に記載の使用のための組成物。
【請求項１４】
ＣＲＰレベルの少なくとも５０％の低減又はｈｓＣＲＰレベルの少なくとも５０％の低減を達成する、請求項１１〜１３のいずれか一項に記載の使用のための組成物。
【請求項１５】
ＣＲＰレベルの少なくとも６０％の低減又はｈｓＣＲＰレベルの少なくとも６０％の低減を達成する、又は、２１日の治療に応答してＣＲＰレベルの少なくとも７７％の低減若しくはｈｓＣＲＰレベルの少なくとも８０％の低減を達成する、請求項１１〜１３のいずれか一項に記載の使用のための組成物。